(57)【要約】セキュリティ担当者がスクリーニングステーションにおいて禁制品をより迅速に特定し、スクリーニングによって当該禁制品を持っていることが分かった個人を特定し、その個人に尋問し、これによりスループットの向上およびヒューマンエラーの低減を可能にするための方法。操作者は、セキュリティ的懸念のある物品を見つけた場合、当該物品の位置を隔離する。このような隔離は、トレイ内において当該物品が置かれているコンパートメントを参照し、任意選択的に物品がコンパートメント内の高い位置または低い位置にあったかを参照し、トレイの一意の識別子を参照することにより、行われる。この方法を実行するためのセキュリティトレイ設計が提供される。セキュリティトレイ設計は、別個の視線誘導標表示されたコンパートメントと、任意選択的に一意の識別子と、個人を一意のトレイと関連付けるためのスクリーニングされた個人の識別情報の表示エリアとを含み、これにより、禁制品の持ち込み禁止エリアへ個人がアクセスする事態の回避を支援する。【選択図】図２
2014510917.tif 000002
【特許請求の範囲】
【請求項１】
個人のセキュリティスクリーニングの方法であって、
前記個人のスクリーニング対象物品がセキュリティトレイ内に配置されると、前記セキュリティトレイによって前記物品が走査ステーション内を搬送され、前記走査ステーションは、ｘ線スキャナおよび前記走査ステーションの操作者を含み、前記方法は、
ｉ）前記セキュリティトレイ内にコンパートメントを設けることであって、前記コンパートメントは、前記物品を受容し、インジケータによって視線誘導標を表示され、前記インジケータは、ｘ線に対して少なくとも部分的に不透過性であること、
を含み、
操作者がセキュリティトレイ内においてセキュリティ懸念のある物品を発見した場合、前記操作者は、前記物品の位置を隔離し、前記隔離は、前記トレイ内において前記物品が配置されている前記コンパートメントを参照することにより行われ、これにより、前記スクリーニングステーション内のセキュリティ担当者は、前記物品の調査と、前記物品を所有する前記スクリーニングされた個人の特定と尋問とを行うことが可能になる、
方法。
【請求項２】
前記セキュリティトレイはインジケータをさらに含み、前記インジケータは、ｘ線に対して少なくとも部分的に不透過性であり、前記コンパートメント内において前記物品が高い位置または低い位置にあるかについて視線誘導を表示し、前記方法は、
ｉｉ）操作者がセキュリティ懸念のある物品をセキュリティトレイ内において発見した場合、前記操作者は、前記物品の位置をさらに隔離するステップであって、前記隔離は、前記トレイ内の前記コンパートメント内において前記物品が高い位置または低い位置にあるかを参照することにより、行われる、ステップ、
をさらに含む、請求項１に記載の方法。
【請求項３】
ｉｉｉ）各セキュリティトレイに一意の識別子を提供するステップと、
ｉｖ）各前記個人と、走査対象となる前記個人の物品が配置された前記トレイの前記一意の識別子とを関連付けるステップであって、これにより操作者がセキュリティ懸念のある物品をセキュリティトレイ内に発見した場合、前記操作者は、前記物品の位置を隔離し、前記隔離は、前記トレイの一意の識別子と、前記トレイ内において前記物品が配置されている前記コンパートメントとを参照することによって行われ、これにより、前記スクリーニングステーション内のセキュリティ担当者は、前記物品の調査と、前記物品を所有する前記スクリーニングされた個人の特定および尋問とを行うことができる、ステップ、
をさらに含む、請求項１または２に記載の方法。
【請求項４】
前記一意の識別子は、Ｘ線不透過性の英数字、バーコード、電子コードおよびＲＦＩＤチップからなる群から選択される、請求項３に記載の方法。
【請求項５】
前記トレイは透明材料によって構成される、請求項１〜４に記載の方法。
【請求項６】
前記セキュリティトレイは、スクリーニングされた個人の一意の識別情報文書を保持および表示するための領域をさらに含み、前記方法は、前記スクリーニングステーション内の前記セキュリティ担当者が前記スクリーニングされた個人の一意の識別情報文書を監視して、前記物品を所有する前記スクリーニングされた個人を特定および尋問するステップをさらに含む、請求項１〜５に記載の方法。
【請求項７】
個人のセキュリティスクリーニングにおいて用いられるセキュリティトレイであって、前記個人のスクリーニング対象物品が前記セキュリティトレイ内に配置されると、前記セキュリティトレイは前記物品を搬送して走査ステーションを通過し、前記走査ステーションは、ｘ線スキャナと前記走査ステーションの操作者とを含み、前記セキュリティトレイは、
ｉ）上面および下面を有する、水平方向に延びるベースと、
ｉｉ）垂直方向に延びる壁部であって、前記壁部は、前記ベースの周囲から上方に延びて、前記垂直方向に延びる壁部によって規定された物品受容領域を形成する、壁部と、
ｉｉｉ）前記物品受容領域内に形成されて前記物品を受容する複数のコンパートメントであって、前記コンパートメントは、インジケータによって視線誘導を表示され、前記インジケータは、ｘ線に対して少なくとも部分的に不透過性である、コンパートメントと、
ｉｖ）ｘ線に対して少なくとも部分的に不透過性である１つ以上のインジケータであって、前記インジケータは、各前記コンパートメント内の高い位置または低い位置を区別する、インジケータと、
を含む、セキュリティトレイ。
【請求項８】
ｖ）一意の識別子、
をさらに含む、請求項７に記載のセキュリティトレイ。
【請求項９】
前記一意の識別子は、少なくとも部分的にＸ線不透過性である英数字、バーコード、電子コードおよびＲＦＩＤチップからなる群から選択される、請求項８に記載のセキュリティトレイ。
【請求項１０】
前記セキュリティトレイは透明材料によって構成される、請求項７〜９に記載のセキュリティトレイ。
【請求項１１】
スクリーニングされた個人の一意の識別情報文書を保持および表示するための領域をさらに含み、前記領域により、前記個人が一意のトレイと関連付けられる、請求項７〜１０に記載のセキュリティトレイ。
【請求項１２】
前記コンパートメントは、直立型の横方向リッジおよび縦方向リッジによって形成され、前記リッジは、前記ベースの上面内に設けられる、請求項７〜１１に記載のセキュリティトレイ。
【請求項１３】
２軸走査の支援および重複の回避のための軸走査スロットが、前記横方向リッジのうち１つ以上に形成され、これにより、コンピュータまたは他の物品を、他の物品の下側または上側に水平方向に配置するのではなく、実質的に垂直方向に延びる位置に配置することが可能になる、請求項１２に記載のセキュリティトレイ。
【請求項１４】
スクリーニングされた個人の一意の識別情報文書を保持および表示するための前記領域は、前記横方向リッジの端部の外側垂直面内に形成された垂直凹部を含み、これにより、パスポートまたは搭乗券の背部を受容するように適合される、請求項１２または１３に記載のセキュリティトレイ。
【請求項１５】
コンパートメントに視線誘導を表示する、前記少なくとも部分的にＸ線不透過性インジケータは、前記横方向リッジまたは縦方向リッジの上部または上面上に設けられる金属ストリップかまたは当該表面内に埋設されているか、あるいは、前記セキュリティトレイの内面の物理的特徴である、請求項１２〜１４に記載のセキュリティトレイ。
【請求項１６】
前記インジケータは、ｘ線に対して少なくとも部分的に不透過性であり、各前記コンパートメント内の高い位置または低い位置を区別し、前記セキュリティトレイの内面に設けられた金属ストリップかまたは当該面内に埋設された、あるいは、前記セキュリティトレイの内面の物理的特徴である、請求項７に記載のセキュリティトレイ。
【請求項１７】
前記一意の識別子は、前記垂直または水平に対して傾斜されたパネル上に配置され、前記パネルは、垂直に対して４５度〜６０度の傾斜で設けられる、請求項８〜１６に記載のセキュリティトレイ。
【請求項１８】
前記セキュリティトレイは、Ｘ線耐性材料によって構成される、請求項７〜１７に記載のセキュリティトレイ。
【請求項１９】
前記セキュリティトレイは、精製ポリプロピレンによって構成される、請求項７〜１８に記載のセキュリティトレイ。
【請求項２０】
前記セキュリティトレイは、ＵＶＣ光に対して実質的に透過性であるポリマーによって構成される、請求項７〜１９に記載のセキュリティトレイ。
【請求項２１】
前記セキュリティトレイは肉薄の部分を含み、前記肉薄の部分を穿孔することで形成された穴を通じて、化学的痕跡検出または粒子痕跡検出を行うことが可能である、請求項７〜２０に記載のセキュリティトレイ。
【請求項２２】
コンパートメントを含み、前記コンパートメントは、平滑なスクープ表面を含むことにより、硬貨または貴金属などの小型物品を受容するように適合される、請求項７〜２１に記載のセキュリティトレイ。
【請求項２３】
曲線状の立ち上がり面および立ち下がり面と、曲線状角部またはビード付き角部を有する縁部とを含み、これにより、スキャナカーテンによる噛み込みを回避する、請求項７〜２２に記載のセキュリティトレイ。
【発明の詳細な説明】
【技術分野】
【０００１】
本出願は、合衆国法典３５．§１１９（ｅ）下における米国仮出願シリアル番号第６１／４５３，０２７号（出願日：２０１１年３月１５日、名称：「Ｍｅｔｈｏｄ  ｏｆ  Ｓｅｃｕｒｉｔｙ  Ｓｃｒｅｅｎｉｎｇ  ａｎｄ  Ｓｅｃｕｒｉｔｙ  Ｔｒａｙ  ｆｏｒ  Ｕｓｅ  Ｔｈｅｒｅｗｉｔｈ」）の恩恵を主張する。本明細書中、同文献を参考のため援用する。
【０００２】
本発明は、セキュリティスクリーニングと、セキュリティスクリーニングと共に用いられる方法および装置との分野に関する。
【背景技術】
【０００３】
公共の場において、民間人が組織的なテロリストまたは個人によって襲われる事件数が増えている。そのため、セキュリティの懸念も高まっており、公共の場（特に、空港）および他の公的な建物（例えば、裁判所または議会建物または公的なイベント）へのアクセス地点において、セキュリティスクリーニング施設の需要も高まっている。一般的に、このような施設においては、個人がくぐることで機能する金属検知器や、恐らくは全身スキャナおよびＸ線装置において封入された手荷物、ジャケットなどを走査するためのコンベヤを設けたり、恐らくは爆発物追跡検出器または「爆発物探知機」が用いられる。現行では、スキャナ走査対象となる物品を、コンベヤ上に配置して簡単なプラスチックトレイ内に配置される。
【発明の概要】
【発明が解決しようとする課題】
【０００４】
現行のセキュリティクリアランストレイにおける問題として、物品がトレイ中に無秩序かつ重複した状態で配置され、また複数のトレイが任意の時間でコンベヤ上を移動しているため、どのトレイが今走査されて、またどのトレイが問題の可能性のある物を含んでいるのか、またどのトレイにそのような物が含まれているのか、またいつトレイがスキャナから出て行ったかなどの判断について、操作者が混乱する場合がある。
【０００５】
上記の関連技術についての例およびそれに関連する限定は例示的なものであり、排他的なものではない。当業者であれば、本明細書および図面を読んでみれば、関連分野における他の制限を理解する。
【０００６】
以下の実施形態およびその態様について、システム、ツールおよび方法に関連して記載および例示する。これらのシステム、ツールおよび方法は例示的なものであり、範囲を制限しない。多様な実施形態において、上記した問題のうち１つ以上が低減または解消され、他の実施形態は他の改善を対象とする。
【課題を解決するための手段】
【０００７】
本発明によれば、スクリーニングステーション内のセキュリティ担当者が特定禁制品をより迅速に特定し、スクリーニングされて禁制品を所有していることが分かった個人を特定および尋問し、これによりスループット向上および人間の間違いの低減を可能にする方法が提供される。操作者は、セキュリティ的懸念のある物品を見つけた場合、当該物品の位置を隔離する。このような隔離は、トレイ内において当該物品が置かれているコンパートメントを参照し、任意選択的に物品がコンパートメント内の高い位置または低い位置にあったかを参照し、トレイの一意の識別子を参照することにより、行われる。この方法を実行するためのセキュリティトレイ設計が提供される。セキュリティトレイ設計は、別個の確定されたコンパートメントと、任意選択的に一意の識別子と、個人を一意のトレイと関連付けるためのスクリーニングされた個人の識別情報の表示エリアとを含み、これにより、禁制品の持ち込み禁止エリアへ個人がアクセスする事態の回避を支援する。図面の参照および以下の詳細な説明の参照により、上記の例示的態様および実施形態に加えて、さらなる態様および実施形態が明らかとなる。
【０００８】
参照される図面中、例示的実施形態が例示される。本明細書中に開示される実施形態および図面は制限的なものではなく、例示的なものであることが意図される。
【図面の簡単な説明】
【０００９】
【図１】本発明を実行するためのセキュリティスクリーニングステーションの模式的平面図である。
【図２】本発明によるセキュリティトレイの右上正面斜視図である。
【図３】図１に示すような２つのセキュリティトレイをスタッキングした構成の右上正面斜視図である。
【図４】図１に示すようなセキュリティトレイの左上斜視図である。
【図５】本発明によるセキュリティトレイの上正面斜視図である。
【図６】図１に示すセキュリティトレイの上平面図である。
【図７】図１に示すセキュリティトレイの下平面図である。
【図８】図１に示すセキュリティトレイの正面図であり、背面図も同じである。
【図９】図１に示すセキュリティトレイの右立面図であり、左立面図も同じである。
【図１０】セキュリティトレイの右上正面斜視図であり、透明材料製の外観を示す。
【発明を実施するための形態】
【００１０】
以下の記載全体において、より深い理解を当業者に提供するために、特定の詳細について説明する。しかし、周知の要素については、開示を不必要に曖昧にしないために、図示または記載を省略している場合がある。よって、これらの記載および図示は制限的なものではなくひとえに例示的なものとしてみなされるべきである。
【００１１】
図１を参照して、セキュリティスクリーニングステーション１００は、走査ステーション１０２と、金属検知器１０４とを含む。
【００１２】
走査ステーション１０２は、コンベヤ１０６と、入口１１０および出口１１２を備えたハウジング１０８と、鉛カーテン１１４と、ｘ線スキャナ１１６とを含む。鉛カーテン１１４は、入口および出口を被覆して、スキャナからのｘ線の漏洩を回避する。操作者１１８は、表示画面１２０上の走査画像を監視する。複数のセキュリティトレイ１２２が設けられる。これらのセキュリティトレイ１２２は、スクリーニングされている個人の物品を受容して、走査ステーション１０２を通じて物品を搬送する。個人が金属検知器１０４内を通過している間、当該個人の個人的物品を搬送しているトレイ１２２（単数または複数）はコンベヤ１０６上に載置されて、ハウジング１０８内を通過する。ハウジング１０８内においてこれらの物品が走査される際、スキャナ操作者１１８は走査画像を監視して、これらの物品のうち禁制品は無いかまたは懸念のあるもの（例えば、液体、兵器、鋭器、爆発物）は無いかを決定する。
【００１３】
図２を参照して、分かりやすくするために影で図示しているトレイ１２２は、（図１０に示すように）透明プラスチックによって形成または成型すると好適であり、これにより、走査物品の視覚的識別の支援と、スクリーニングされた人がトレイに物品をうっかり忘れる事態の回避とが支援される。トレイ１２２のベース１２４はコンパートメントに分割されており、これにより、物品（例えば、電子機器、複合金属および液体）の分配および分離を支援する。コンパートメントに分割されたベース１２４を用いることにより、対象物が重複する事態が低減するため、操作者は、対象物の識別をより迅速かつより高精度に行うことが可能になる。また、コンパートメントを設けることにより、操作者は、セキュリティ担当者にとっての特定の標的を識別することができる。このような識別は、以下に述べる一意のトレイ識別情報と、コンパートメント位置とを用いて行われ、これによりスループットが向上する。
【００１４】
トレイ１２２のコンパートメントに分割されたベース設計は好適には、対称設計とすることにより、いずれかの方向にスタッキング可能とするとよい（図３を参照）。直立型の横方向リッジ１３０および１３２と、縦方向リッジ１３３とによりコンパートメント１３５（図６）が形成されているため、重い対象物をトレイによって搬送する場合のトレイの強度および安定性が向上する。２軸走査スロット１２６および１２７が、横方向リッジ１３０および１３２それぞれに設けられる。２軸走査スロット１２６および１２７は、ラップトップ、ノートブックまたはタブレットＰＣをトレイ側部に対して垂直方向に配置できるような配置およびサイズとなっており、これにより、他の物品の下または上にＰＣが位置する事態を回避して２軸走査を支援し、重複を回避する。ラップトップを開いた状態で２つのスロット１２６および１２７それぞれの内部に縁部を配置することもでき、これにより垂直方向に配置した状態で保持することができる。リッジ１３０および１３２の端部の外側垂直面は、垂直凹部１２８を形成するような形状にされる。垂直凹部１２８は、水平方向断面がＣ字型形状であるため、スロット１３４内に立てられたパスポートの背を受容することができる。スロット１３４は、搭乗券も受容することができる。これにより、セキュリティ担当者および／または自動読み取り機器による識別情報の読み取りが容易化される。自動読み取り機器は、走査（ｘ線）画像と組み合わせかつ／または保存してその後に取り出すことができる。
【００１５】
操作者のためにコンパートメント１３５をより良好に規定するために、マーカー１３１を設けると好適である。これらのマーカー１３１は少なくとも部分的にＸ線不透過性であり、例えば金属ストリップをリッジ１３０、１３２および１３３それぞれの上面に設けることができる。金属ストリップは、上面の上方、下方に設けてもよいし、あるいは面内に埋設してもよい。他の形態の全体的または部分的にＸ線不透過性である視線誘導標をトレイの内面に付加または埋設してもよいし、あるいは、トレイ材料そのものを充分にＸ線不透過性とし、操作者がコンパートメント仕切り部分を視認することを可能にしてもよい。その結果、操作者がセキュリティ担当者と連絡をとる際にコンパートメントを定義することが容易になる。トレイを製造するために用いられる材料に応じて、例えば走査ステーションの操作者は、リッジ１３０、１３２および１３３の位置によってまたはトレイ内面の他の全体的または部分的にＸ線不透過性の特徴によって、コンパートメントに視線誘導標を表示することができる。
【００１６】
１つ以上のさらなる部分的または全体的にＸ線不透過性のマーカー１３７を設けることで、担当者がマーカーの高さを参照することにより、コンパートメント１３５中の物品の深さを特定することも可能である。このようなマーカー１３７（例えば、金属ストリップ）は、リッジ１３０、１３２および１３３それぞれの上面に設けることができ、上面の上方、下方に設けてもよいし、あるいは面内に埋設してもよい。ここでも、トレイを製造するために用いられる材料に応じて、走査ステーションの操作者は、リッジの位置によってまたはトレイ内面の他の全体的または部分的にＸ線不透過性の特徴によって、コンパートメント１３５内の物品の深さの視線誘導標を表示することができる。
【００１７】
複数の４５度の表示パネル１３６が提供される。これらの表示パネル１３６には、トレイを一意に特定するための一意の識別子１３９が固定される（例えば、少なくとも部分的にＸ線不透過性である英数字をｘ線によって例えばＹＶＲ１２３４、ＬＡＸ９０１２、ＬＨＲ５６７８などと読み出すことができる）。あるいは、バーコードまたは他の視認可能なコードまたは電子的コード（ＲＦＩＤチップ）を用いてもよい。識別子１３９は、パネル１３６の表面上に設けてもよいし、あるいは埋設してもよい。パネルを垂直方向または水平方向に対して傾斜させる（例えば、好適には垂直方向に対して４５度（最大６０度まで））ことにより、垂直面または水平面のいずれからもパネルを走査することが可能になる。パネル１３６をトレイ１２２のリムの高さよりも低く配置することにより、パネル１３６上の識別用ラベルの摩耗が低減する。表示パネルの位置により、セキュリティ担当者がトレイ番号とスロット１３４内に配置されたスクリーニング対象人物の識別情報紙とを関連付けることが可能になる。トレイ１２２を一意に識別するためのさらなる手段または代替的手段として、トレイ１２２においてＲＦＩＤチップを別の位置に設けることができる。ＲＦＩＤチップは、例えば位置１３８において凹部内に接着剤によって固定することができる。
【００１８】
人間工学的に設計された硬貨用スクープが１４０において設けられ、これにより、硬貨および他の小型の対象物および／または腕時計および貴金属をトレイから迅速かつ容易に取り出すことが可能になる。図示の設計においては、左利きの人間でも右利きの人間でも、スクープ１４０に同様にアクセスすることができる。このようなスクープ中に硬貨を隔離することにより、物の取り出しをより迅速に行うことが可能になるため、プロセス中に硬貨が移動する事態が低減し、スループットが増加する。ハンドル１４２がビード付き縁部１４５を持つトレイ１２２内に人間工学的に形成され、手袋の摩耗が低減される。ハンドル１４２によって形成されたトレイの垂直面１４３により、ハンドル下側の領域と同様のさらなるメッセージ領域が得られる。
【００１９】
好適には、トレイ１２２の本体を軟質プラスチックによって形成することで、ノイズを低減し、擦過傷を低減し、ユーザにとって手触りが良くなる。半透明かつ／またはテクスチャード加工のバンドをトレイのベース周囲に１４４において設けることで、擦過傷またはスカッフィングが発生し易い領域の外観が向上する。グリップまたはテクスチャード加工材料のバンドまたはピンポイントグリップ特徴をベースに沿って１４６において設けることで、コンベヤによってグリップをより確実にグリップすることが可能になり、これにより、カーテン１１４を通じたトレイの通過が容易化される。トレイ１４８のリップには、曲線状端部およびビード付き縁部１４９を設けることで、カーテン１１４上における噛み込みが回避され、取り扱い快適性も高まる。オーバーモールドプロセスを用いて、グリップ１４２上の面の柔軟性またはグリップ性を高めてもよいし、あるいは、他のタブまたは取り付けのための第２の材料層を設けてもよい。グリップをオーバーモールドする際に透明プラスチックピースを用いた場合、ラベル、ロゴ、国識別情報（例えば、旗）をグリップ面に付加した後、オーバーモールド層を付加することができる。
【００２０】
トレイ１２２は、肉薄領域（例えば、タブまたは型抜き穴１５０）を設けることができる。このような肉薄領域は、容易に穿孔することが可能であり、得られた穴を通じて、送風による化学的痕跡検出または粒子痕跡検出（「スニッフィング」）を行うことが可能になる。これらの穴は、既に穿孔された穴またはスロットとして、ユーザへ供給され得る。エンボス付きメッセージ領域１５２もトレイのリップ１４８上に設けることができ、これにより、セキュリティメッセージまたは企業ブランドの記載が可能になる。１５２においてトレイ内にエンボス加工または成型することが可能な１つの可能なセキュリティ画像として、両眼の画像がある。このような画像は、不誠実な行為を低減することが判明している。
【００２１】
作動時において、スクリーニング対象の個人は、セキュリティスクリーニングステーション１００に入り、走査ステーション１０２においてトレイ１２２を入手する。この個人は、硬貨、ラップトップ、金属品、携帯電話などをトレイ１２２の適切または任意の部分あるいはコンパートメント内に入れ、金属検知器１０４内を通過する。セキュリティ担当者がトレイ１２２をコンベヤ１０６上に配置すると、コンベヤ１０６はトレイ１２２をハウジング１０８内へと搬送し、ハウジング１０８内において、操作者はトレイ１２２の内容物のＸ線走査を監視する。操作者１１８がセキュリティ懸念のある物品（例えば、液体、兵器、鋭器、爆発物）を発見した場合、操作者は、当該物品の位置を隔離する。このような隔離は、表示パネル１３６上のトレイの一意の識別子と、当該物品が配置されたコンパートメント（例えば、右寄り、左角、またはコンパートメントおよび／または高さ（例えば、ａ〜ｆ／高さ、１〜６／低さ）を特定する他の任意の手段））を参照することにより、行われる。このようにして、セキュリティ担当者は、問題となる物品を調査する作業、スクリーニングされた個人の識別情報をパスポートまたは搭乗券によって特定する作業、およびスクリーニングされた個人を尋問する作業をより迅速に行うことが可能になり、これにより、スループット向上およびヒューマンエラー低減が可能になる。
【００２２】
セキュリティトレイの商品寿命を延ばすために、セキュリティトレイを構成する材料は好適には、Ｘ線露出の反復に耐える透明材料である（例えば、精製ポリプロピレン）。トレイの殺菌を定期的に行うことも望ましい場合がある。これは、走査プロセス時におけるライン内手順の一部として行ってもよいし、あるいは別個のバッチプロセスによって行ってもよい。殺菌は、紫外光、熱または化学物質によって行うことができる。セキュリティトレイに透明ポリプロピレン材料を用いると、熱および／または化学物質による殺菌において適切である。殺菌を紫外光によって行う場合、（波長がおよそ１００〜２８０ｎｍである）ＵＶＣ光が、セキュリティトレイの好適な材料の殺菌において最も効果的である。なぜならば、本実施形態は、ＵＶＣ光に対して実質的に透明なポリマーだからである。
【００２３】
複数の例示的態様および実施形態について上述してきたが、当業者であれば、特定の改変、置換、追加およびこれらのサブコンビネーションを理解する。よって、本発明は、このような改変、置換、追加およびサブコンビネーションは全て、本発明の真なる意図および範囲内に含まれるものとして解釈されるべきであることが意図される。
【図１】
2014510917.tif 000003
【図２】
2014510917.tif 000004
【図３】
2014510917.tif 000005
【図４】
2014510917.tif 000006
【図５】
2014510917.tif 000007
【図６】
2014510917.tif 000008
【図７】
2014510917.tif 000009
【図８】
2014510917.tif 000010
【図９】
2014510917.tif 000011
【図１０】
2014510917.tif 000012
【手続補正書】
【提出日】平成25年2月26日(2013.2.26)
【手続補正１】
【補正対象書類名】特許請求の範囲
【補正対象項目名】全文
【補正方法】変更
【補正の内容】
【特許請求の範囲】
【請求項１】
個人のセキュリティスクリーニングの方法であって、前記個人のスクリーニング対象物品が１つ以上のセキュリティトレイ内に配置されると、前記セキュリティトレイは前記物品を搬送して走査ステーションを通過し、前記走査ステーションは、ｘ線スキャナと前記走査ステーションの１人以上の操作者とを含み、前記方法は、
ｉ）各前記セキュリティトレイに一意の識別子を設けることであって、前記一意の識別子は、前記セキュリティトレイの視認可能な表面上に設けられ、前記識別子は、視覚的にあるいは電子的走査またはｘ線走査によって読み出すことが可能である、ことと、
ｉｉ）前記セキュリティトレイ内に複数のコンパートメントを設けることであって、前記コンパートメントは、前記物品を受容し、インジケータによって視線誘導標を表示され、前記インジケータは、ｘ線に対して少なくとも部分的に不透過性である、ことと、
ｉｉｉ）操作者がセキュリティ懸念のある物品をセキュリティトレイ内に発見した場合、前記操作者は、前記懸念物品の位置を隔離し、前記隔離は、前記セキュリティトレイの一意の識別子と、前記トレイ内において前記懸念物品が配置されている前記コンパートメントとを参照することによって行われ、これにより、前記スクリーニングステーション内のセキュリティ担当者は、前記懸念物品の発見および調査を行うことができる、ことと、
を含む、方法。
【請求項２】
前記コンパートメントは、上方に開口したコンパートメントであり、前記セキュリティトレイのベース内に形成される、請求項１に記載の方法。
【請求項３】
前記１つ以上のセキュリティトレイはそれぞれインジケータを含み、前記インジケータは、ｘ線に対して少なくとも部分的に不透過性であり、前記コンパートメント内において前記物品が高い位置または低い位置にあるかについて視線誘導標を表示し、前記方法は、
ｉｖ）操作者がセキュリティ懸念のある物品をセキュリティトレイ内において発見した場合、前記操作者は、前記物品の位置をさらに隔離するステップであって、前記隔離は、前記セキュリティトレイ内の前記コンパートメント内において配置された前記懸念物品が高い位置または低い位置にあるかを参照することにより、行われる、ステップ、
をさらに含む、請求項１に記載の方法。
【請求項４】
ｖ）個人と、走査対象となる前記個人の物品のうち１つ以上が配置された前記セキュリティトレイの前記一意の識別子とを関連付けるステップであって、操作者がセキュリティ懸念のある物品をセキュリティトレイ内に発見した場合、前記操作者は、前記懸念物品の位置を隔離し、前記隔離は、前記トレイの一意の識別子と、前記トレイ内において前記物品が配置されている前記コンパートメントとを参照することによって行われ、これにより、前記スクリーニングステーション内のセキュリティ担当者は、前記懸念物品の調査と、前記物品が配置されていた前記セキュリティトレイと関連付けられた前記個人の特定および尋問とを行うことができる、ステップ、
をさらに含む、請求項１、２または３のうちいずれか１項に記載の方法。
【請求項５】
前記一意の識別子は、電子操作またはｘ線走査によって読み出し可能な識別子を含み、前記識別子は、ｘ線不透過性の英数字、バーコード、電子コードおよびＲＦＩＤチップまたはこれらの組み合わせからなる群から選択される、請求項１〜４のうちいずれか１項に記載の方法。
【請求項６】
前記トレイの本体は、視認可能な光を透過する材料によって構成される、請求項１〜５のうちいずれか１項に記載の方法。
【請求項７】
前記セキュリティトレイは、スクリーニングされた個人の一意の個人的な識別情報文書を受容および表示するための領域をさらに含み、前記方法は、前記スクリーニングステーション内の前記セキュリティ担当者が前記スクリーニングされた個人の個人的識別情報文書を監視して、前記スクリーニングされた個人を前記セキュリティトレイの前記一意の識別子と関連付けるステップをさらに含む、請求項１〜６のうちいずれか１項に記載の方法。
【請求項８】
前記個人的識別情報文書はパスポートである、請求項７に記載の方法。
【請求項９】
個人のセキュリティスクリーニングにおいて用いられるセキュリティトレイであって、前記個人のスクリーニング対象物品が前記セキュリティトレイ内に配置されると、前記セキュリティトレイは前記物品を搬送して走査ステーションを通過し、前記走査ステーションは、ｘ線スキャナと前記走査ステーションの１人以上の操作者とを含み、前記セキュリティトレイは、
ｉ）上面および下面を有する、水平方向に延びるベースと、
ｉｉ）垂直方向に延びる壁部であって、前記壁部は、前記ベースの周囲から上方に延びて、前記垂直方向に延びる壁部によって規定された物品受容領域を形成する、壁部と、
ｉｉｉ）前記セキュリティトレイの視認可能な表面上の一意の識別子であって、前記識別子は、視覚的にかつ電子的走査またはｘ線走査によって読み出すことが可能である、識別子と、
ｉｖ）前記物品を受容するための前記物品受容領域内に形成された複数のコンパートメントであって、前記コンパートメントは、インジケータによって視線誘導標を表示され、前記インジケータは、ｘ線に対して少なくとも部分的に不透過性である、コンパートメントと、
を含む、セキュリティトレイ。
【請求項１０】
ｖ）ｘ線に対して少なくとも部分的に不透過性である１つ以上のインジケータであって、前記インジケータは、各前記コンパートメント内の高い位置または低い位置を区別する、インジケータ、をさらに含む、請求項９に記載のセキュリティトレイ。
【請求項１１】
前記一意の識別子は、電子操作またはｘ線走査によって読み出し可能な識別子を含み、前記識別子は、ｘ線不透過性の英数字、バーコード、電子コードおよびＲＦＩＤチップまたはこれらの組み合わせからなる群から選択される、請求項９または１０に記載のセキュリティトレイ。
【請求項１２】
前記セキュリティトレイは、視認可能な光を透過する材料から製造される、請求項９〜１１のうちいずれか１項に記載のセキュリティトレイ。
【請求項１３】
スクリーニングされた個人の一意の個人的な識別情報文書を保持および表示するための領域をさらに含み、これにより、前記個人とセキュリティトレイとを一意に関連付ける、請求項９〜１２のうちいずれか１項に記載のセキュリティトレイ。
【請求項１４】
前記コンパートメントは、直立型の横方向リッジおよび縦方向リッジによって形成され、前記リッジは、前記ベースの上面内に設けられる、請求項９〜１３のうちいずれか１項に記載のセキュリティトレイ。
【請求項１５】
幅および長さが深さよりもずっと大きな物品を受容するために、スロットが前記横方向リッジのうち１つ以上に形成され、これにより、ラップトップコンピュータまたは他の物品を、他の物品の下側または上側に水平方向に配置するのではなく、実質的に垂直方向に延びる位置に配置することが可能になる、請求項１４に記載のセキュリティトレイ。
【請求項１６】
スクリーニングされた個人の個人的識別情報文書を保持および表示するための前記領域は、前記横方向リッジの端部の外側垂直面内に形成された垂直凹部を含み、これにより、パスポートまたは搭乗券を受容するように適合される、請求項１３または１４に記載のセキュリティトレイ。
【請求項１７】
コンパートメントに視線誘導標を表示する、前記少なくとも部分的にＸ線不透過性インジケータは、前記横方向リッジまたは縦方向リッジの上部または上面上に設けられるかまたは当該表面内に埋設された金属ストリップであるか、あるいは、前記セキュリティトレイの内面の物理的特徴である、請求項９または１０に記載のセキュリティトレイ。
【請求項１８】
前記インジケータは、ｘ線に対して少なくとも部分的に不透過性であり、各前記コンパートメント内の高い位置または低い位置を区別し、前記セキュリティトレイの内面に設けられたかまたは当該面内に埋設された金属ストリップであるか、あるいは、前記セキュリティトレイの内面の物理的特徴である、請求項９または１０に記載のセキュリティトレイ。
【請求項１９】
前記一意の識別子は、前記垂直または水平に対して傾斜されたパネル上に配置され、前記パネルは、垂直に対して４５度〜６０度の傾斜で設けられる、請求項９〜１８のうちいずれか１項に記載のセキュリティトレイ。
【請求項２０】
前記セキュリティトレイは、Ｘ線耐性材料によって構成される、請求項９〜１９のうちいずれか１項に記載のセキュリティトレイ。
【請求項２１】
前記セキュリティトレイは、精製ポリプロピレンによって構成される、請求項９〜２０のうちいずれか１項に記載のセキュリティトレイ。
【請求項２２】
前記セキュリティトレイは、ＵＶＣ光に対して実質的に透過性であるポリマーによって構成される、請求項９〜１９のうちいずれか１項に記載のセキュリティトレイ。
【請求項２３】
前記セキュリティトレイは、肉薄の部分を含み、前記肉薄の部分を穿孔することで形成された穴を通じて、化学的痕跡検出または粒子痕跡検出を行うことが可能である、請求項９〜２２のうちいずれか１項に記載のセキュリティトレイ。
【請求項２４】
コンパートメントを含み、前記コンパートメントは、平滑なスクープ表面を含むことにより、小型物品を受容するように適合される、請求項９〜２３のうちいずれか１項に記載のセキュリティトレイ。
【請求項２５】
曲線状の立ち上がり面および立ち下がり面と、曲線状角部またはビード付き角部を有する縁部とを含み、これにより、スキャナカーテンによる噛み込みを回避する、請求項９〜２４のうちいずれか１項に記載のセキュリティトレイ。
【国際調査報告】
2014510917.tif 000013
2014510917.tif 000014